(57)【特許請求の範囲】
【請求項１】
回転可能に配設された回転子と、その下端との間に、外表面に複数の印字が形成された無端印字ベルトを巻き掛けた回転印と、
前記回転印の下部に取り付けられ、前記無端印字ベルトの下端にある印字を露出させる第１の印字穴が形成された固定印と、
前記回転印の下端に着脱可能に取り付けられ、前記固定印に形成された第２の印字穴から、その印字部が露出する差替印とからなる差替印付回転印において、
前記固定印を前記回転印の下部に回動可能、且つ、上下にスライド可能に取り付けるとともに、
この固定印を回転印の下部の側方に退避させた状態で、差替印の差込部を回転印を構成する外枠部材の切欠部上部の側板に差し込むことにより、差替印を回転印に取り付けるようにしたことを特徴とする差替印付回転印。
【発明の詳細な説明】
【技術分野】
【０００１】
本発明は、印字を切り替えて押印することができる固定印付回転印に差替印を設けた印鑑に関する。
【背景技術】
【０００２】
従来から、年月日やシリアルナンバー等を印字するための固定印付回転印が広く用いられている。このような固定印付回転印は、回転自在に配設された複数の回転子とその下端との間に、複数の無端印字ベルトを巻き掛け、前記複数の無端印字ベルトを固定印の印字穴から露出させた構造のものである。一方で、特許文献１や特許文献２に示されるように、前記固定印付回転印に脱着可能な差替印を設けた印鑑が知られている。このような差替印付回転印は、印字に応じて複数の回転印を用意することなく、差替印を差し替えることにより印字を変更できるので便利である。特許文献１や特許文献２に示されるような差替印付回転印は、その先端側面に着脱口が形成され、固定印に差替印用の印字穴が形成された構造のものである。このような差替印付回転印に差替印を取り付けるには、着脱口に差替印を斜めに挿入し、差替印の印字面を印字穴に差し込んだ後に、差替印を起立させるとともに上方に押し上げる操作により行われる。一方で、差替印付回転印から差替印を取り外すには、前記操作の逆の手順により行われる。
【先行技術文献】
【特許文献】
【０００３】
【特許文献１】特開２００２−１２７５７７号公報
【特許文献２】特開２００９−１３２０１２号公報
【発明の概要】
【発明が解決しようとする課題】
【０００４】
しかしながら特許文献１や特許文献２に示される差替印付回転印は、狭い着脱口から差替印を着脱する必要があり、差替印を取り付ける際には着脱口に差替印を斜めに挿入する必要があり、一方で、差替印を取り外す際にも差替印を斜めの姿勢にする必要があり、差替印の着脱が容易ではなかった。このため、差替印の脱着時に、手がインキで汚れてしまうという問題があった。本発明は、上記問題を解決し、容易に差替印を着脱することができる差替印付回転印を提供することを目的とする。
【課題を解決するための手段】
【０００５】
上記課題を解決するためになされた請求項１に記載の発明は、
回転可能に配設された回転子と、その下端との間に、外表面に複数の印字が形成された無端印字ベルトを巻き掛けた回転印と、
前記回転印の下部に取り付けられ、前記無端印字ベルトの下端にある印字を露出させる第１の印字穴が形成された固定印と、
前記回転印の下端に着脱可能に取り付けられ、前記固定印に形成された第２の印字穴から、その印字部が露出する差替印とからなる差替印付回転印において、
前記固定印を前記回転印の下部に回動可能、且つ、上下にスライド可能に取り付けるとともに、
この固定印を回転印の下部の側方に退避させた状態で、差替印の差込部を回転印を構成する外枠部材の切欠部上部の側板に差し込むことにより、差替印を回転印に取り付けるようにしたことを特徴とする。
【発明の効果】
【０００６】
本発明によれば、固定印を回転印の下部に回動可能、且つ、上下のスライド可能に取り付けたので、差替印を脱着する際に、固定印を下方にスライドさせて、固定印を回動させることにより、回転印の下方にある固定印を、回転印の下部の側方に退避させることができ、この状態では、回転印の下方には固定印が無いので、差替印を容易に着脱することが可能となる。
また、固定印を回転印に対して回動させた状態で、固定印に形成された第２の印字穴の裏側から差替印を差し込み、固定印を元の角度に回動させ、固定印上方にスライドさせることにより、差替印の差込部を切欠部の上部の側板に差し込み、差替印を回転印に容易に取り付けることが可能となる。
【図面の簡単な説明】
【０００７】
【図１】差替印付回転印の斜視図である。
【図２】図１の断面図である。
【図３】固定印を回動させた状態の差替印付回転印の斜視図である。
【図４】回転印の斜視図である。
【図５】差替印の斜視図である。
【図６】回転子及び無端印字ベルトの斜視図である。
【図７】固定印を下方にスライドさせた状態の差替印付固定印の断面図である。
【図８】別例の差替印付回転印の斜視図である。
【発明を実施するための形態】
【０００８】
以下に図面を参照しつつ、本発明の好ましい実施の形態を示す。図１や図３に示されるように、本発明の差替印付回転印１００は、回転印１０と、固定印２０と、差替印３０とから構成されている。本発明の差替印付回転印１００は、図３に示されるように、回転印１０の先端に、固定印２０を回動可能、且つ、上下にスライド可能に取り付け、差替印３０着脱時に固定印２０を回動させることにより、差替印３０の着脱を容易とした構造のものである。以下、詳細に説明する。
【０００９】
図２、図６に示されるように、回転印１０は、把持部１、外枠部材２、内枠部材３、回転子４、軸部材５、無端印字ベルト６とから構成されている。外枠部材２は、下方が開放した箱形形状である。外枠部材２の側板２ｅには、並列して複数のスリット２ａが連通形成されている。外枠部材２の上端には、棒状の把持部１が取り付けられている。外枠部材２の内側には、内枠部材３、回転子４、軸部材５、無端印字ベルト６からなる回転印本体が配設されている。内枠部材３は、互いに対向する側板３ａの上端が、上板３ｂで接続された構造である。側板３ａの下端には、橋架片３ｃが取り付けられている。
【００１０】
内枠部材３の側板３ａ間には、複数の回転子４が、並列して同軸に配設されている。回転子４は、操作円盤４ａと、この操作円盤４ａよりも外形の小さい係合部４ｂが同軸に、一体形成されている。回転子４の中心には軸穴４ｃが連通形成され、回転子４の軸穴４ｃに軸部材５が挿通し、軸部材５が側板３ａに取り付けられて、複数の回転子４が内枠部材３に回転可能に取り付けられている。操作円盤４ａは、外枠部材２のスリット２ａから露出している。
【００１１】
各回転子４の係合部４ｂ及び橋架片３ｃの下端との間には、複数の無端印字ベルト６が並列して巻き掛けられている。無端印字ベルト６の外表面には、複数の印字部６ａが形成されている。印字部６ａには、連続気孔が形成され、インキが吸蔵されるようになっている。無端印字ベルト６の裏面と、回転子４の係合部４ｂとは係合している。回転子４が回転すると、係合部４ｂと係合している無端印字ベルト６も回転し、印字部６ａが切り替わるようになっている。
【００１２】
固定印２０は、固定印保持部材２１と、印字体２２とから構成されている。固定印保持部材２１は、板形状の保持部２１ａと、保持部２１ａの両端から上方へ突出する板部２１ｂが一体に形成されている。板部２１ｂの上部には、軸穴２１ｃが連通形成されている。本実施形態では、保持部２１ａは円盤形状である。保持部２１ａの下面には、印字体２２が取り付けられている。印字体２２は連続気孔が形成され、インキが吸蔵されるようになっている。印字体２２の中央には第１の印字穴２２ａが連通形成されている。また、第１の印字穴２２ａの外側には、第２の印字穴２２ｂが連通形成されている。勿論、第１の印字穴２２ａ及び第２の印字穴２２ｂが形成されている箇所の保持部２１ａは連通している。
【００１３】
図４に示されるように、外枠部材２及び内枠部材３の両側面の同位置には、それぞれ、上下方向に、長穴２ｂ、長穴３ｄが形成されている。長穴２ｂは、側板２ｅと直交する面に形成されている。固定印保持部材２１の軸穴２１ｃ、長穴２ｂ、長穴３ｄに、軸部材２３が挿通して、固定印２０が回転印１０に回動自在に取り付けられている。軸部材２３は、長穴２ｂ、３ｄに挿通しているので、固定印２０は回転印１０に対して、上下方向移動可能となっている。なお、本実施形態では、軸部材２３はボルトであり、ナットにより、固定印保持部材２１に固定されている。
【００１４】
図３や図４に示されるように、外枠部材２の側板２ｅの下端には、切欠部２ｃが形成されている。
【００１５】
図５に示されるように、差替印３０は、保持部材３１と、印字体３２とから構成されている。保持部材３１は、印字体保持部３１ａと、印字体保持部３１ａから上方に突出する第１の係止片３１ｂと、この第１の係止片３１ｂと対向する第２の係止片３１ｃが一体に形成されている。第１の係止片３１ｂと第２の係止片３１ｃとの間には、所定間隔離間した差込部３１ｄが形成されている。印字体保持部３１ａの下面には、印字体３２が取り付けられている。
【００１６】
差替印３０を回転印１０に取り付けるには、図７に示されるように、固定印２０を下方にスライドさせる。すると、印字体２２の第１の印字穴２２ａに挿通している無端印字ベルト６の印字部６ａが第１の印字穴２２ａから脱出する。この状態では、固定印２０は回転印１０に対して回動させることができる。図３に示されるように、固定印２０を回動させて、回転印１０の下部の側方に退避させる。この状態では、側板２ｅの切欠部２ｃの下方には、固定印２０が無いので、差替印３０の差込部３１ｄを切欠部２ｃの上部の側板２ｅに差し込むことにより、容易に差替印３０を回転印１０に取り付けることができる。差替印３０が回転印１０に取り付けられた状態では、第１の係止片３１ｂと第２の係止片３１ｃは、側板２ｅの下端を挟持している。この状態で、固定印２０を元の角度に回動させて、固定印２０を上方にスライドさせると、差替印３０の印字体３２が、印字体２２の第２の印字穴２２ｂから露出する。この状態では、差替印３０の印字体保持部３１ａが、印字体２２の第２の印字穴２２ｂに挿通しているので、差替印３０が回転印１０及び固定印２０で固定される。
【００１７】
なお、固定印２０を回転印１０に対して回動させた状態で、固定印２０に形成された第２の印字穴２２ｂの裏側から差替印３０を差し込み、固定印２０を元の角度に回動させ、固定印２０を上方にスライドさせることにより、差替印３０の差込部３１ｄを切欠部２ｃの上部の側板２ｅに差し込み、差替印３０を回転印１０に取り付けることにしても差し支えない。
【００１８】
差替印３０を回転印１０から取り外すには、前記した差替印３０を回転印１０に取り付ける手順と逆の手順を行う。
【００１９】
以上詳細に説明したように、本発明では、固定印２０を回転印１０下端に回動可能に取り付けたので、固定印２０を回動させることにより、容易に、差替印３０を脱着することが可能となる。
【００２０】
図８に示されるように、側板２ｅを大きく切り欠いて切欠部２ｃを形成しても差し支えない。
【００２１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う差替印付回転印もまた技術的範囲に包含されるものとして理解されなければならない。      
【符号の説明】
【００２２】
１      把持部
２      外枠部材
２ａ    スリット
２ｂ    長穴
２ｃ    切欠部
２ｅ    側板
３      内枠部材
３ａ    側板
３ｂ    上板
３ｃ    橋架片
３ｄ    長穴
４      回転子
４ａ    操作円盤
４ｂ    係合部
４ｃ    軸穴
５      軸部材
６      無端印字ベルト
６ａ    印字部
１０    回転印
２０    固定印
２１    固定印保持部材
２１ａ  保持部
２１ｂ  板部
２１ｃ  軸穴
２２    印字体
２２ａ  第１の印字穴
２２ｂ  第２の印字穴
３０    差替印
３１    保持部
３１ａ  印字体保持部
３１ｂ  第１の係止片
３１ｃ  第２の係止片
３１ｄ  差込部
３２    印字部
１００  差替印付回転印
【図１】
0005533023.tif 000002
【図２】
0005533023.tif 000003
【図３】
0005533023.tif 000004
【図４】
0005533023.tif 000005
【図５】
0005533023.tif 000006
【図６】
0005533023.tif 000007
【図７】
0005533023.tif 000008
【図８】
0005533023.tif 000009